(57)【特許請求の範囲】
【請求項１】
上下方向に沿って溝部が形成された支柱の前記溝部内に防音パネルの端部を挿入させて設置させる防音壁に用いられるばね金具であって、
前記ばね金具は、基板部と、該基板部から延設される付勢部とを備え、
前記基板部が前記防音パネルへ当接すると共に、前記付勢部が前記支柱の溝部の内側面へ当接して、前記防音パネルを前記溝部の内側面に対して離間させる方向へ付勢するように設けられており、
前記基板部には雌ねじ部が設けられ、該雌ねじ部は前記基板部と前記付勢部とが離間する方向へ雌ねじ部分が向けられており、
前記付勢部にはねじ部材により押圧可能な押圧部が前記雌ねじ部に対応する位置近傍に設けられており、
前記雌ねじ部へ螺合するねじ部材により前記押圧部が押圧されて、前記付勢部と前記基板部とが接近した状態で保持されていることを特徴とするばね金具。
【請求項２】
上下方向に沿って溝部が形成された支柱の前記溝部内に端部が挿入されて設置される防音パネルであって、
該防音パネルの前記端部にはばね金具が固定されており、
前記ばね金具は、前記防音パネルに固定される基板部と、該基板部から延設される付勢部とを備え、
前記付勢部が前記支柱の溝部の内側面へ当接して、前記防音パネルを前記溝部の内側面に対して離間させる方向へ付勢するように設けられており、
前記基板部には雌ねじ部が設けられ、該雌ねじ部は前記基板部と前記付勢部とが離間する方向へ雌ねじ部分が向けられており、
前記付勢部にはねじ部材により押圧可能な押圧部が前記雌ねじ部に対応する位置近傍に設けられており、
前記支柱へ設置される前の状態において、前記雌ねじ部へ螺合するねじ部材により前記押圧部が押圧されて、前記付勢部と前記基板部とが接近した状態で保持されていることを特徴とする防音パネル。
【請求項３】
上下方向に沿って溝部が形成された支柱の前記溝部内に防音パネルの端部が挿入されて設置されており、
前記支柱の前記溝部の内側面と、該溝部に挿入された防音パネルの端部との間にはばね金具が配置されており、
前記ばね金具は、前記防音パネルへ当接される基板部と、該基板部から延設される付勢部とを備え、
該付勢部が前記支柱の溝部の内側面へ当接して、前記防音パネルを前記溝部の内側面に対して離間させる方向へ付勢させており、
前記基板部には雌ねじ部が設けられ、該雌ねじ部は前記基板部と前記付勢部とが離間する方向へ雌ねじ部分が向けられており、
前記付勢部には前記雌ねじ部に対応する位置近傍に押圧部が設けられており、
前記雌ねじ部へ螺合させたねじ部材により前記押圧部を押圧させて、前記付勢部を前記基板部へ接近させる前記ばね金具の弾性変形の発生及び保持を可能に設けられていることを特徴とする防音パネルの設置構造。
【発明の詳細な説明】
【技術分野】
【０００１】
本発明は、自動車道や鉄道などに設置される吸音パネルや遮音パネルなどの防音パネルを支柱へ固定するためのばね金具、及びばね金具を固定させた防音パネル、及びばね金具によって防音パネルを支柱へ固定させた防音パネルの設置構造に関するものである。
【背景技術】
【０００２】
内部に吸音材を内装した吸音パネルや、透光性を有するポリカーボネート板などの遮音板の周囲を枠材で囲う遮音パネルなどの防音パネルを用いる防音壁は、Ｈ形鋼を用いた支柱を間隔をあけて複数立設させ、各支柱の溝内に前記防音パネルの両端をそれぞれ挿入させる設置方法が一般的である。このような防音壁においては、支柱の溝の一方の内側面と防音パネルとの間にばね金具を取り付けて両者を離間させるように付勢し、前記防音パネルを前記溝の他方の内側面へ押しつけてがたつきなどを抑制させる構成がよく用いられており、このようなばね金具について種々の発明が開示されている。
【０００３】
例えば、特許文献１では、上下方向に沿って溝部が形成された支柱の前記溝部内に防音パネルの端部を挿入させて設置させる防音壁に用いられるばね金具であって、
前記ばね金具は、基板部と、該基板部の下部から前方へ延設される付勢部と、前記基板部の側部から延設される取付板部とを備え、
前記基板部の後面を防音パネルの前面に対向させて、前記取付板部を前記防音パネルに着脱可能に取り付けるとともに、前記付勢部を前記支柱の溝部の内側面に圧接させることにより、前記防音パネルの前面を前記内側面に対して離間させる方向に付勢させることができることを特徴とするばね金具が、本出願人によって提案されている。
また、特許文献２では、一定間隔をおいて立設されたＨ形支柱に防音パネルが挿着されてなる防音壁において、Ｈ形支柱の相対向したフランジ間に防音パネルの両端部が隙間を設けて緩挿され、該フランジの側縁に前記隙間に挿入させる挿入片とフランジ外面に配置させる押圧片とを有する横断面Ｕ字状の固定バネが配設挟装させれ、少なくとも押圧片に穿設されたボルト挿入孔に貫通させたボルト螺子部にナットを螺入させることによって、押圧片が締め付けられ、反発弾性に抗して挿入片が防音パネルに押圧されることを特徴とする防音パネルの固定構造が、本出願人によって提案されている。
【先行技術文献】
【特許文献】
【０００４】
【特許文献１】特開２０１５−０５９３３７号公報
【特許文献２】特開２０００−３５５９１２号公報
【発明の概要】
【発明が解決しようとする課題】
【０００５】
特許文献１に示されるばね金具は、支柱に防音パネルを取り付けた状態でばね金具を取り外し可能に設けており、特許文献２に示される防音パネルの固定構造は、バネ材を支柱へ差し込む作業においてハンマー等で打ち込むような作業を不要にしているが、本発明はこれらと異なる構成によって、容易に設置可能な防音パネルと、ばね金具を提供するものである。
【課題を解決するための手段】
【０００６】
上記目的を達成するため、本発明は以下のような構成としている。
すなわち、本発明に係るばね金具は、上下方向に沿って溝部が形成された支柱の前記溝部内に防音パネルの端部を挿入させて設置させる防音壁に用いられるばね金具であって、
前記ばね金具は、基板部と、該基板部から延設される付勢部とを備え、
前記基板部が前記防音パネルへ当接すると共に、前記付勢部が前記支柱の溝部の内側面へ当接して、前記防音パネルを前記溝部の内側面に対して離間させる方向へ付勢するように設けられており、
前記基板部には雌ねじ部が設けられ、該雌ねじ部は前記基板部と前記付勢部とが離間する方向へ雌ねじ部分が向けられており、
前記付勢部にはねじ部材により押圧可能な押圧部が前記雌ねじ部に対応する位置近傍に設けられており、
前記雌ねじ部へ螺合するねじ部材により前記押圧部が押圧されて、前記付勢部と前記基板部とが接近した状態で保持されていることを特徴としている。
【０００７】
本発明に係るばね金具によれば、基板部を前記防音パネルへ当接させると共に、前記基板部から延設させた付勢部を前記支柱の溝部の内側面へ当接させて、防音パネルを支柱の溝部の内側面に対して離間させる方向へ付勢するので、上下方向に沿って溝部を形成させた支柱の前記溝部内に防音パネルの端部を挿入させて設置させたときに、防音パネルのがたつきや位置ずれ等が抑制され、安定する。
また、前記基板部に雌ねじ部を設け、前記付勢部にねじ部材により押圧可能な押圧部を前記雌ねじ部に対応する位置近傍に設けて、前記雌ねじ部へ螺合させたねじ部材により前記押圧部を押圧させて前記付勢部と前記基板部とが接近した状態で保持させるので、支柱の溝部の内側面とこれに挿入させた防音パネルの端部との間に前記ばね金具を容易に配置できる。
また、ばね金具を配置させた後に、前記ねじ部材を前記雌ねじ部から螺脱させることで、前記付勢部と基板部とが接近した状態を容易に解除でき、防音パネルを溝部の内側面から離間させるように付勢させることができる。
【０００８】
また、本発明に係る防音パネルは、上下方向に沿って溝部が形成された支柱の前記溝部内に端部が挿入されて設置される防音パネルであって、
該防音パネルの前記端部にはばね金具が固定されており、
前記ばね金具は、前記防音パネルに固定される基板部と、該基板部から延設される付勢部とを備え、
前記付勢部が前記支柱の溝部の内側面へ当接して、前記防音パネルを前記溝部の内側面に対して離間させる方向へ付勢するように設けられており、
前記基板部には雌ねじ部が設けられ、該雌ねじ部は前記基板部と前記付勢部とが離間する方向へ雌ねじ部分が向けられており、
前記付勢部にはねじ部材により押圧可能な押圧部が前記雌ねじ部に対応する位置近傍に設けられており、
前記支柱へ設置される前の状態において、前記雌ねじ部へ螺合するねじ部材により前記押圧部が押圧されて、前記付勢部と前記基板部とが接近した状態で保持されていることを特徴としている。
【０００９】
本発明に係る防音パネルによれば、雌ねじ部へ螺合させたねじ部材により押圧部を押圧させて、端部に固定させたばね金具の付勢部と基板部とを接近した状態で保持させているので、前記ばね金具を固定させた防音パネルの端部を支柱の溝部へ容易に挿入させることができる。
また、防音パネルの端部を支柱の溝部へ挿入させた後、前記ねじ部材を雌ねじ部から螺脱させることで、前記付勢部と基板部とが接近した状態を容易に解除でき、防音パネルを溝部の内側面から離間させるように付勢させることができる。
【００１０】
また、本発明に係る防音パネルの設置構造は、上下方向に沿って溝部が形成された支柱の前記溝部内に防音パネルの端部が挿入されて設置されており、
前記支柱の前記溝部の内側面と、該溝部に挿入された防音パネルの端部との間にはばね金具が配置されており、
前記ばね金具は、前記防音パネルへ当接される基板部と、該基板部から延設される付勢部とを備え、
該付勢部が前記支柱の溝部の内側面へ当接して、前記防音パネルを前記溝部の内側面に対して離間させる方向へ付勢させており、
前記基板部には雌ねじ部が設けられ、該雌ねじ部は前記基板部と前記付勢部とが離間する方向へ雌ねじ部分が向けられており、
前記付勢部には前記雌ねじ部に対応する位置近傍に押圧部が設けられており、
前記雌ねじ部へ螺合させたねじ部材により前記押圧部を押圧させて、前記付勢部を前記基板部へ接近させる前記ばね金具の弾性変形の発生及び保持を可能に設けられていることを特徴としている。
【００１１】
本発明に係る防音パネルの設置構造によれば、支柱の溝部内へ挿入させた防音パネルの端部と、前記溝部の内側面との間に配置させたばね金具の付勢部と基板部によって、前記防音パネルを前記溝部の内側面から離間させる方向へ付勢させているので、防音パネルのがたつきや位置ずれ等が抑制され、安定する。
また、前記基板部に雌ねじ部を設け、ねじ部材により押圧可能な押圧部を前記付勢部の前記雌ねじ部に対応する位置近傍に設け、前記雌ねじ部へ螺合させたねじ部材によって前記押圧部を押圧させて、前記付勢部を前記基板部へ接近させる前記ばね金具の弾性変形を生じさせて保持できるので、前記ばね金具による防音パネルの付勢を容易に解除でき、防音パネルを支柱から取り外すことができる。
【発明の効果】
【００１２】
本発明に係るばね金具及び防音パネルによれば、支柱の溝部へ防音パネルの端部を挿入させて容易に設置できる。
また、本発明に係る防音パネルの設置構造によれば、支柱へ取り付けた防音パネルのがたつきなどを抑制させるばね金具の付勢を容易に解除させて、支柱から防音パネルを取り外すことができる。
【図面の簡単な説明】
【００１３】
【図１】本発明に係る防音パネルの実施の一形態を示す正面図である。
【図２】図１の右側面図である。
【図３】図１の防音パネルに固定されたばね金具を示す、（イ）は平面図であり、（ロ）は正面図である。
【図４】図３の左側面図である。
【図５】図３の背面図である。
【図６】図１の防音パネルの端部付近の平面図である。
【図７】図１の防音パネルの端部を支柱に挿入させた状態を示す平面図である。
【図８】図７のばね金具のねじ部材を螺脱させた状態を示す図である。
【図９】図８のばね金具に他のねじ部材を螺合させた状態を示す図である。
【図１０】図９のねじ部材により、ばね金具の押圧部を押圧させた状態を示す図である。
【発明を実施するための形態】
【００１４】
本発明の実施の形態を図面に基づき具体的に説明する。
図面において１は防音パネルである。
防音パネル１は、内側に中空部分を有する横長の矩形箱状に形成させており、多数の貫通孔１２を略全面に亘って設けた前面板１１と、その後方に配置させた背面板との間に吸音材を内装させ、前方からの騒音を前記吸音材で吸収させて低減させるように設けている。
【００１５】
防音パネル１は、左右の端部をそれぞれ間隔を開けて立設させた支柱９へ取り付けて設置させるように設けている。防音パネル１の端部には、支柱９への取り付けに用いるばね金具２をそれぞれ前面側に固定させており、左右の端部にそれぞれ４個づつ合計８個のばね金具２を取り付けている。
【００１６】
図３は図１の防音パネル１に固定されたばね金具２を示す、（イ）は平面図であり、（ロ）は正面図であり、図４は図３の左側面図であり、図５は図３の背面図である。
ばね金具２は、基板部３と、この基板部３の側方から前方へ向けて延設させた曲部４と、この曲部４から側方へ延設させた付勢部５とを備える略Ｕ字形状に形成して設けた、所謂板ばねであり、後方側に配置させた基板部３の後面を前記防音パネル１へ当接させて固定させるように設けている。
【００１７】
前記ばね金具２の基板部３には、丸孔形状の貫通孔３２を２個形成させており、各貫通孔３２は前記基板部３の端部付近に上下に間隔をあけて配置させている。
前記各貫通孔３２は、ばね金具２を前記防音パネル１へ固定させるためのボルト等のねじ部材を挿通させるために設けている。また各貫通孔３２に挿通させたねじ部材によるばね金具２の取り付け作業を容易にするために、各貫通孔３２に対応する前記付勢部５の位置に切り欠きを設けている。
尚、図３（イ）は、貫通孔３２の図示を省略している。
【００１８】
図３〜５に示すばね金具２には、ボルトからなるねじ部材６を取り付けている。
前記ねじ部材６は、その雄ねじ部６１を前記付勢部５へ前方から挿通させると共に、前記基板部３に形成した雌ねじ部３１へ螺合させて取り付けている。
雌ねじ部３１は、前記基板部３の端部付近に設けており、具体的には、上下に間隔をあけて形成した前記各貫通孔３２の中央に配置させている。
前記付勢部５には、前記雌ねじ部３１に対応する位置に、左右に長い長孔形状の貫通長孔５１を形成しており、この貫通長孔５１へ前記ねじ部材６の雄ねじ部６１を挿通させている。雌ねじ部３１に対応する位置とは、雌ねじ部３１の雌ねじ部分を延長させた位置を意味する。
尚、前記ばね金具２に形成した貫通長孔５１は孔形状に設けているが、これに限るものではなく、付勢部５へねじ部材６を挿通可能な他の形状に設けても良い。例えば、貫通する部分が付勢部５の端部に至る切り欠き形状に設けても良い。
【００１９】
前記ばね金具２は、曲部４が弾性変形して前記基板部３と前記付勢部５とが接近している状態を、取り付けた前記ねじ部材６によって保持させている。
具体的には、前記基板部３は、前記貫通長孔５１の周囲に位置する押圧部５２が、前記ねじ部材６のねじ頭部６２に当接し押圧された状態となされている。
即ち、前記ばね金具２は、前記ねじ部材６を雌ねじ部３１から螺脱させると、曲部４の弾性変形が復元して、基板部３と付勢部５とが離間するように設けている。
【００２０】
前記ばね金具２は、前記基板部３の板厚を部分的に大きく形成させた厚板部３３を設けている。
具体的には、厚板部３３は基板部３の前面側に矩形の金属板を取り付けて設けており、前記雌ねじ部３１と各貫通孔３２はこの厚板部３３に形成させている。
厚板部３３に雌ねじ部３１を形成することで、ばね金具２を構成する板ばね全体の厚みを大きくすることなく雌ねじ部３１の雌ねじの長さを十分な長く設けることができる。また、雌ねじ部３１へ螺結させて前記基板部３と付勢部５とを接近させた状態で保持するねじ部材６によって生じる、雌ねじ部３１の近傍とそれ以外の基板部３の部分との間の歪みを抑制できる。
尚、図３〜５に示すばね金具２は、矩形板状の厚板部３３に雌ねじ部３１を形成しているが、これに限るものではなく、基板部３へナットなどの雌ねじ部材を固定させて厚板部３３を設けても良く、厚板部３３を設けずに基板部３へ雌ねじ部３１を形成してもよい。厚板部３３を設けずに雌ねじ部３１を形成する場合には、基板部３へ所謂バーリング加工などを施し、雌ねじ部３１の雌ねじの長さを基板部３の板厚よりも長く設けてもよい。
【００２１】
図６は図１の防音パネル１の端部付近の平面図である。
図６は、防音パネル１の前面側に、図３〜５に示すばね金具２を固定させた状態を示している。
防音パネル１の前面側には、ばね金具２を固定するためのねじ部材１３を設けており、ねじ部材１３は雄ねじを前方へ突出させて設けている。
前記ばね金具２は、前記各貫通孔３２へ前記ねじ部材１３を挿通させ、このねじ部材１３へナット１４を螺結させて防音パネル１へ固定させている。
尚、図１の防音パネル１は、ねじ部材１３の雄ねじを突出させて設けているがこれに限るものではなく、防音パネル１へ雌ねじを備えるねじ部材を設け、前記貫通孔３２へ挿通させたボルトを螺結させて前記ばね金具２を固定させるようにしてもよい。
【００２２】
図７は図１の防音パネル１の端部を支柱９に挿入させた状態を示す平面図である。
図１の防音パネル１は、間隔をあけて立設させた支柱９の間に架け渡してそれぞれ固定させるように設けている。
尚、図７及び後述する図８〜１０においては、ばね金具２を防音パネル１へ取り付けているねじ部材１３やナット１４の図示を省略して、図を簡略化している。
【００２３】
支柱９は、その両側の側方に上下方向に沿って溝部９１を備えるように設けており、具体的には支柱９は２本のフランジ９５ａ、９５ｂとそれらの間に１本のウェブ９６を備えた断面Ｈ形とした、所謂、Ｈ形鋼を用いている。支柱９は、前記フランジ９５ａとフランジ９５ｂとをそれぞれ前方側と後方側に配置させ、前記各フランジ９５ａ、９５ｂとこれらの間に形成させたウェブ９６とが前記溝部９１を形成するように配置させて立設させている。
【００２４】
前記防音パネル１の端部を支柱９の溝部９１へ挿入させたとき、防音パネル１に取り付けたばね金具２も前記溝部９１へ挿入されるように設けている。前記ばね金具２の部分を含む防音パネル１の厚み方向の大きさは、前記支柱９の溝部９１の溝幅の大きさ、即ち溝部９１の内側面を構成するフランジ９５ａの後面とフランジ９５ｂの前面との間隔よりも若干小さく形成させており、支柱９の溝部９１へ防音パネル１の端部を容易に挿入できるように設けている。
【００２５】
前記防音パネル１は、その端部を支柱９の溝部９１へ挿入させたとき、溝部９１へ挿入されるばね金具２の基板部３の一部と、付勢部５の一部が溝部９１の外側に配置されるように設けている。
具体的には、ばね金具２を防音パネル１へ取り付けるねじ部材１３と、前記基板部３と前記付勢部５とを接近させて保持しているねじ部材６とが溝部９１の外側に配置されるように、基板部３に形成した貫通孔３２、雌ねじ部３１と、付勢部５に設けた貫通長孔５１を形成している。
【００２６】
図７に示すように、支柱９の溝部９１へ防音パネル１の端部を挿入させた後、ばね金具２へ取り付けたねじ部材６を雌ねじ部３１から螺脱させると、曲部４の弾性変形が復元し、基板部３と付勢部５とが接近した状態が解除され、基板部３と付勢部５とが離間する。
図８は図７のばね金具２のねじ部材６を螺脱させた状態を示す図である。
ねじ部材６を雌ねじ部３１から螺脱させて基板部３と付勢部５を離間させると、付勢部５の前面が支柱９の溝部９１の内側面、即ちフランジ９５ａの後面へ当接すると共に、離間する基板部３が防音パネル１の後面を支柱９のフランジ９５ｂの前面へ押しつけるように防音パネル１を後方へ付勢させる。
ばね金具２の付勢によりフランジ９５ｂの前面へ押しつけられた防音パネル１は、支柱９に対する位置ずれや、がたつき、摩耗などが抑制されるように設置される。
【００２７】
図１の防音パネル１を支柱９へ設置させ、防音パネル１を支柱９の溝部９１の内側面へ押しつけるようにばね金具２が付勢する状態において、付勢部５の貫通長孔５１が雌ねじ部３１に対応する位置に配置されるようにばね金具２を設けている。
具体的には、図８に示すように基板部３と付勢部５とが離間した状態においても、貫通長孔５１が雌ねじ部３１の雌ねじ部分の延長上に位置するように設けている。換言すると、支柱９へ防音パネル１を設置させた状態において、ばね金具２の貫通長孔５１へ挿通させたねじ部材の雄ねじ部分を、雌ねじ部３１へ螺合させることができるように設けている。
図９は図８のばね金具２に他のねじ部材８を螺合させた状態を示す図である。
【００２８】
前記ねじ部材８は、雄ねじ部８１とねじ頭部８２とを備えるボルトを有し、この雄ねじ部８１へナット８３を螺合させている。
図９は、このねじ部材８の雄ねじ部８１をばね金具２の貫通長孔５１へ前方から挿通させると共に、基板部３の雌ねじ部３１へ螺結させた状態を示している。
この状態でねじ部材８のナット８３を回転させ、ばね金具２の方向へ移動させれば、ナット８３を貫通長孔５１の近傍に位置する付勢部５の押圧部５２に当接させ、更に押圧部５２を押圧させて、曲部４を弾性変形させ付勢部５を基板部３へ接近させると共に、その状態を保持することができる。
図１０は図９のねじ部材８により、ばね金具２の押圧部５２を押圧させた状態を示す図である。
【００２９】
図１０において、ばね金具２は、雌ねじ部３１へ取り付けたねじ部材８により、基板部３と付勢部５を接近させた状態で保持させているので、ばね金具２による防音パネル１の付勢が解除され、ばね金具２と支柱９の溝部９１の内側面との間に若干の隙間を生じさせている。
このため、支柱９へ設置させた防音パネル１を溝部９１から容易に抜き取り取り外すことができる。
また、ばね金具２を防音パネル１へ取り付けているナット１４を取り外せば、防音パネル１を支柱９へ取り付けた状態で、ばね金具２のみを取り外すことも容易に実施できる。
【００３０】
本発明に係るばね金具２や防音パネル１は、図１〜１０に示す実施形態に限定されるものではなく、本発明の要旨を逸脱しない範囲で種々の変更が可能である。
【００３１】
例えば、図１に示す防音パネル１は、図６に示すように、ばね金具２をねじ部材１３及びナット１４を用いて防音パネル１へ取り付けているがこれに限るものではない。
例えば、ねじ部材１３以外の取り付け手段を用いてばね金具２を防音パネル１へ取り付けても良く、ばね金具２を防音パネル１へ直接取り付けずに防音パネル１の前面と支柱９の溝部９１の内側面との間に配置させ、ばね金具２の付勢の力によって取り付け位置から外れないように設けても良い。
【００３２】
また、図１に示す防音パネル１は、内側の中空部分に吸音材を内装させて吸音性を備えさせているが、これに限るものではなく、吸音材を備えず主に遮音性能を有する防音パネルを利用しても良い。
【符号の説明】
【００３３】
１    防音パネル
１１  前面板
１２  貫通孔
１３  ねじ部材
１４  ナット
２    ばね金具
３    基板部
３１  雌ねじ部
３２  貫通孔
３３  厚板部
４    曲部
５    付勢部
５１  貫通長孔
５２  押圧部
６    ねじ部材
６１  雄ねじ部
６２  ねじ頭部
８    ねじ部材
８１  雄ねじ部
８２  ねじ頭部
８３  ナット
９    支柱
９１  溝部
９５ａ  フランジ
９５ｂ  フランジ
９６  ウェブ
【図１】
0006563830.tif 000002
【図２】
0006563830.tif 000003
【図３】
0006563830.tif 000004
【図４】
0006563830.tif 000005
【図５】
0006563830.tif 000006
【図６】
0006563830.tif 000007
【図７】
0006563830.tif 000008
【図８】
0006563830.tif 000009
【図９】
0006563830.tif 000010
【図１０】
0006563830.tif 000011